(57)【要約】【課題】  情報一覧で選択した情報に関する選択情報を情報選択の作業が終わるまで保持し、表示し続ける通信システム等を提供する。【解決手段】  サーバ１０１とユーザ１０４の端末装置１０３との通信セッション内で選択された商品情報は、セッションが終了するまで、セッション変数３０２という選択情報としてセッション保持手段１１４に保持される。このため情報閲覧ページを移動した後でも、一度選択された商品情報は「選択済み」であることを示す選択表示が保持され、表示される。【選択図】  図１
2006244341.tif 000002
【特許請求の範囲】
【請求項１】
ユーザの端末装置と、サーバと、がネットワークを介して接続されるシステムであって、
前記サーバは、
情報を保持する情報保持手段と、
前記ユーザの端末装置に前記情報を提供する提供手段と、
前記提供手段が提供した情報のうち、前記ユーザの端末から選択された情報に選択表示を行う表示手段と、
前記選択表示を保持する選択表示保持手段と、
前記選択表示が行われた情報の固有データを選択情報として保持する選択情報保持手段と、
を具備することを特徴とする通信システム。
【請求項２】
前記情報は、
商品に関する商品情報であり、
前記商品の商品ＩＤや文字情報、又は前記商品の画像ＩＤや画像情報を有することを特徴とする請求項１に記載された通信システム。
【請求項３】
前記商品情報の固有データは、前記商品ＩＤや画像ＩＤであることを特徴とする請求項２に記載された通信システム。
【請求項４】
ユーザの端末装置と、ネットワークを介して接続されるサーバであって、
情報を保持する情報保持手段と、
前記ユーザの端末装置に前記情報を提供する提供手段と、
前記提供手段が提供した情報のうち、前記ユーザの端末から選択された情報に選択表示を行う表示手段と、
前記選択表示を保持する選択表示保持手段と、
前記選択表示が行われた情報の固有データを選択情報として保持する選択情報保持手段と、
を具備することを特徴とするサーバ。
【請求項５】
前記情報は、
商品に関する商品情報であり
前記商品の商品ＩＤや文字情報、又は前記商品の画像ＩＤや画像情報を有することを特徴とする請求項４に記載されたサーバ。
【請求項６】
前記商品情報の固有データは、前記商品ＩＤや画像ＩＤであることを特徴とする請求項４に記載されたサーバ。
【請求項７】
前記サーバはＷｅｂサーバであり、前記端末装置はＷｅｂブラウザとして機能するものであることを特徴とする請求項４から請求項７いずれかに記載のサーバ。
【請求項８】
コンピュータを請求項４から請求項７のいずれかに記載のサーバとして機能させるプログラム。
【請求項９】
コンピュータを請求項４から請求項７のいずれかに記載のサーバとして機能させるプログラムを記録した記録媒体。
【発明の詳細な説明】
【技術分野】
【０００１】
本発明は、ネットワークを利用した、Ｗｅｂ上で動作するサーバと複数のユーザ端末との通信セッションにおける通信シテスムに係り、特にチェックボックスなどの選択表示や選択情報保持機能に関する。
【背景技術】
【０００２】
近年、インターネットとコンピュータの普及に伴い、Ｗｅｂを利用したネットショッピング等が普及している。例えば、ネットショッピングでは、購買者であるユーザが、Ｗｅｂ上で商品を提供する会社のホームページ等にアクセスし、購入したい商品を検索し、その中から購入したい商品を選択して、購入手続きをとるものである（例えば、特許文献１）。
【０００３】
【特許文献１】特開２００２−３１２６１３号公報
【発明の開示】
【発明が解決しようとする課題】
【０００４】
このように、商品情報を検索した場合、それらの商品情報リストが複数ページにわたる場合も多い。この場合、ユーザの端末の画面に現在表示されるページにおいて、ユーザがチェックボックス等にチェックすることで商品を選択し、その後改ページして次の商品リストを表示させると、前ページにおいて行われたチェック動作はリセットされ、チェック等の表示も消えてしまう。そのため、ユーザは、端末画面に表示された頁ごとに商品を選択し、バスケット(買い物かご)に保存して、次のページを表示させ同様の作業を続ける必要があった。このような動作は煩雑であり、また、多数のページにわたる場合、ユーザはどの商品を選んだのかわからなくなることがあった。
【０００５】
本発明は、以上の点に鑑みてなされたものであり、チェックボックスのチェックマークなど選択表示とその選択情報とを保持する機能を有し、Ｗｅｂ上で動作する通信システム等を提供することを目的とする。
【課題を解決するための手段】
【０００６】
前述した目的を達成するために第１の発明は、ユーザの端末装置と、サーバと、がネットワークを介して接続されるシステムであって、前記サーバは、情報を保持する情報保持手段と、前記ユーザの端末装置に前記情報を提供する提供手段と、  前記提供手段が提供した情報のうち、前記ユーザの端末から選択された情報に選択表示を行う表示手段と、前記選択表示を保持する選択表示保持手段と、前記選択表示が行われた情報の固有データを選択情報として保持する選択情報保持手段と、を具備することを特徴とする通信システムである。
【０００７】
第１の発明では、ユーザは、その端末装置からサーバにアクセスし、サーバの提供する情報から、情報を選択し、サーバはその情報が選択されたことを表示する選択表示を保持し、その選択情報を保持する。ここで、情報とは、例えば商品に関する商品情報であり、商品の商品ＩＤや文字情報、又は商品の画像ＩＤや画像情報等を有する。選択情報として保持される商品情報の固有データは、例えば、前記商品ＩＤや画像ＩＤである。
【０００８】
このように、選択表示や選択情報を保持することで、ユーザは常に自分の選択した情報を確認しつつ、作業を行うことができる。
【０００９】
第２の発明は、ユーザの端末装置と、ユーザの端末装置と、ネットワークを介して接続されるサーバであって、情報を保持する情報保持手段と、前記ユーザの端末装置に前記情報を提供する提供手段と、前記提供手段が提供した情報のうち、前記ユーザの端末から選択された情報に選択表示を行う表示手段と、前記選択表示を保持する選択表示保持手段と、前記選択表示が行われた情報の固有データを選択情報として保持する選択情報保持手段と、を具備することを特徴とするサーバである。
第２の発明は、第１の発明の通信システムで用いられるサーバに関する発明である。
【００１０】
第３の発明は、コンピュータを第２の発明のサーバとして機能させるプログラムである。
第４の発明は、コンピュータを第２の発明のサーバとして機能させるプログラムを記録した記録媒体である。
【００１１】
上述のプログラムをＣＤ−ＲＯＭ等の記録媒体に保持させて流通させてもよいし、このプログラムを通信回線を介して送受することもできる。
【発明の効果】
【００１２】
本発明は、情報一覧で選択した情報に関する選択情報を情報選択の作業が終わるまで保持し、表示し続けることで、情報選択の作業の流れが一元化し、情報一覧が複数ページにわたる場合でも、選択した情報が容易に確認可能となり、作業の効率が向上する通信システム等を提供することができる。
【発明を実施するための最良の形態】
【００１３】
以下に、添付図面を参照しながら、本発明に係る通信システム等の好適な実施形態について詳細に説明する。なお、以下の説明および添付図面において、略同一の機能構成を有する構成要素については、同一の符号を付することにより重複説明を省略することにする。
【００１４】
図１は、本発明の本実施の形態に係る通信システム１００の概略構成を示す図である。
【００１５】
図１に示すように、通信システム１００は、サーバ１０１、複数のユーザ１０４の端末装置１０３等が、ネットワーク１０９を介して接続されて構成される。尚、通信システム１００は、ＷＷＷ（Ｗｏｒｌｄ  Ｗｉｄｅ  Ｗｅｂ）技術を用いて実現した場合の構成図である。
【００１６】
ネットワーク１０９は、インターネット、ローカルエリアネットワーク（ＬＡＮ）、社内ＬＡＮ等のネットワークであり、有線、無線を問わない。
【００１７】
サーバ１０１は、サーバコンピュータ等であり、ＷＷＷサーバ１１０、データベース操作手段１１１、データベース管理手段１１２、データベースサーバ管理手段１１３、セッション変数保持手段１１４等を有する。データベース操作手段１１１は、ＷＷＷサーバ１１０から呼び出され、商品情報データベース３０２の検索や情報内容の参照、閲覧等を行う。
【００１８】
データベース管理手段１１２は、データベースエンジン等であり、商品情報データベース３０１への検索、参照、登録、削除等の各種要求に対する該当処理を行う。データベースサーバ管理手段１１３は、ユーザ１０４の登録や各種設定等のシステム運用・管理を行う。
【００１９】
セッション変数保持手段１１４はセッション変数３０２を保持する。セッションとは、サーバ１０１と端末装置１０３の通信の単位であり、例えば、ユーザ１０４が端末装置１０３からサーバ１０１にユーザ認証してログインしてからログアウトして通信作業を終えるまでが１回のセッションとなる。セッション変数３０２とは、セッション中に認識する固有のデータである。
【００２０】
ユーザ１０４は、商品情報データベース３０１の利用者であり、通常サーバ１０１に登録した利用者であり、端末装置１０３を有する。端末装置１０３には、ＷＷＷブラウザ１２０が搭載される。端末装置１０３は、ＷＷＷブラウザ１２０を介して、サーバ１０１のＷＷＷサーバ１１０にアクセスし、情報データベース３０１の操作要求、入力情報等を送信し、情報データベース３０１から取得した情報等を受信する。尚、端末装置１０３は、パーソナルコンピュータ、携帯情報端末（Ｐｅｒｓｏｎａｌ  Ｄｉｇｉｔａｌ  Ａｓｓｉｓｔａｎｔ）等である。
ここでは、サーバ１０１の提供する情報として商品情報を例に取り、ユーザ１０４が、サーバ１０１の商品情報データベース３０１から商品を検索し、購入する処理を例にとって説明する。
【００２１】
次に、サーバ１０１のハードウェア構成を説明する。図２は、サーバ１０１のハードウェア構成図である。
【００２２】
図２に示すように、サーバ１０１は、制御部２０１、記憶装置２０２（ハードディスク）、メディア入出力部２０３（ＣＤ−ＲＯＭ）、通信制御部２０４（通信制御装置、通信ポート等）、入力部２０５（キーボード、マウス等）、印刷部２０６（プリンタ）、表示部２０７（ディスプレイ）等が、バス２０９を介して接続される。
【００２３】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２４】
記憶装置２０２には、各構成部分を駆動制御する制御プログラム３１１、アプリケーションプログラム３１２、及び情報データベース３０１等が格納されている。
【００２５】
これらの各プログラムコードは、制御部２０１により必要に応じて読み出されてＲＡＭに移され、ＣＰＵに読み出されて各種の手段として実行される。
【００２６】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００２７】
通信制御部２０４は、通信制御装置、通信ポート等であり、ネットワーク１０９を介して、サーバ１０１と、端末装置１０３間の通信制御を行う。
【００２８】
入力部２０５は、キーボード、マウス等であり、表示部２０７（ディスプレイ）に表示された操作案内、各種処理、操作を行う。
印刷部２０６は、プリンタであり、印刷出力処理を行う。
【００２９】
次に、記憶装置２０２におけるデータベースシステム関連のファイル配置について説明する。図３は、記憶装置２０２におけるデータベースシステム関連のファイル配置を示す。図４は、情報データベース３０１のデータ構造を示す。
図３に示すように、記憶装置２０２内には、情報データベース３０１、セッション変数３０２、制御プログラム３１１、アプリケーションプログラム３１２等が格納されている。
【００３０】
図４に示すように、情報データベース３０１は、商品情報テーブル３２１、素材情報テーブル３３１、管理テーブル３４１等を記憶する。商品情報テーブル３２１は、商品ごとに固有に設定された商品ＩＤ(番号)４１と商品情報５１を有する。商品情報５１は文字情報であり、商品の形式、価格、特徴等の商品に関する情報である。
【００３１】
素材情報テーブル３３１は、商品の画像を保持するテーブルであり、素材ＩＤ(番号)６１と素材情報７１を有する。素材情報７１は画像情報であり、商品の画像等である。
管理テーブル３４１は、商品ＩＤ４１、素材ＩＤ６１、備考８１等を有し、それぞれの商品とその素材の関連を管理するデータである。
【００３２】
尚、サーバ１０１が管理する情報データベース３０１は、必要に応じて、複数存在してもよい。
セッション変数３０２は、前述のように、ユーザ１０４の端末装置１０３と、サーバ１０１との通信（セッション）中に発生した固有のデータである。
【００３３】
制御プログラム３１１は、サーバ１０１の各構成部分を駆動制御するプログラムである。
アプリケーションプログラム３１２は、実行可能プログラムであり、ＷＷＷサーバ１１０、データベース操作手段１１１、データベース管理手段１１２、データベースサーバ管理手段１１３、セッション変数保持手段１１４等に該当するプログラムである。
【００３４】
次に、端末装置１０３のハードウェア構成を説明する。図５は、端末装置１０３のハードウェア構成図である。
【００３５】
図５に示すように、端末装置１０３は、制御部４０１、記憶装置４０２（ハードディスク、外部メモリ）、メディア入出力部４０３（ＣＤ−ＲＯＭ）、通信制御部４０４（通信制御装置、通信ポート等）、入力部４０５（キーボード、マウス等）、印刷部４０６（プリンタ）、表示部４０７（ディスプレイ）等が、バス４０９を介して接続される。
【００３６】
制御部４０１は、ＣＰＵ、ＲＯＭ、ＲＡＭ等で構成され、大容量記憶媒体としての記憶装置４０２に格納されたプログラムに従って、バス４０９を介して接続された各装置を駆動制御する。
【００３７】
記憶装置４０２（ハードディスク）には、各構成部分を駆動制御するプログラム、ＷＷＷブラウザ１２０等のアプリケーションプログラム等が格納されている。
【００３８】
これらの各プログラムコードは、制御部４０１により必要に応じて読み出されてＲＡＭに移され、ＣＰＵに読み出されて各種の手段として実行される。
【００３９】
メディア入出力部４０３（ＣＤ−ＲＯＭドライブ装置）は、制御部４０１のＲＯＭや記憶装置４０２に記憶されているプログラムや情報をバージョンアップ、機器設定等の設定を行う際に用いられる。
【００４０】
通信制御部４０４は、通信制御装置、通信ポート等であり、ネットワーク１０９を介して、端末装置１０３と、サーバ１０１間の通信制御を行う。
【００４１】
入力部４０５は、キーボード、マウス等であり、表示部４０７（ディスプレイ）に表示された操作案内、各種処理、操作を行う。
印刷部４０６は、プリンタであり、印刷出力処理を行う。
【００４２】
次に、通信システム１００の選択表示、選択情報の保持機能を、図６、図７に示すフローチャート用いて説明する。図６、図７は、ユーザ１０４が端末装置１０３からネットワークを介してサーバ１０１に接続し、商品を検索し、購入手続きを行う、１セッションの通信における動作を示すフローチャートである。
【００４３】
図６に示すように、端末装置１０３の制御部４０１は、ＷＷＷブラウザ１２０を介してサーバ１０１にアクセス、ログインする（ステップ６０１）。例えば、ユーザ１０４は端末装置１０３のＷＷＷブラウザ１２０からサーバ１０１のＵＲＬを指定してサーバ１０１にアクセスし、ログイン画面よりユーザＩＤやパスワード等を入力し、ログイン作業を行う。
【００４４】
サーバ１０１の制御部２０１は、ＷＷＷサーバ１１０を介してユーザ認証を行い（ステップ６０２）、ユーザ１０４が正しく認証されると、商品情報データベース３０１の情報を操作するためのメニュー画面を端末装置１０３に対して送信する（ステップ６０３）。以降、端末装置１０３とサーバ１０１との間でのデータの送受信は、ＷＷＷブラウザ１２０とＷＷＷサーバ１１０を介して、行われる。
【００４５】
次に、端末装置１０３の制御部４０１は受け取ったメニュー画面を表示し、ユーザ１０４が操作メニューより商品検索を選択すると、その旨をサーバ１０１に送信する（ステップ６０４）。
【００４６】
サーバ１０１の制御部２０１は、端末装置１０３に対して商品検索画面を送信する（ステップ６０５）。端末装置１０３の制御部４０１は、商品検索画面を表示し、ユーザ１０４が商品を検索するためのキーワード等を入力すると、それをサーバ１０１に送信する（ステップ６０６）。
【００４７】
次に、サーバ１０１の制御部２０１は、キーワード等を基に商品情報データベース３０１を検索し、検索結果の商品リスト画面を端末装置１０３に対して送信し（ステップ６０７）、  端末装置１０３の制御部４０１は商品リスト画面を表示する（ステップ６０８）。
【００４８】
図８は、端末装置１０３に表示された商品リスト表示画面の一例である画面９３を示す図である。例えば、ステップ６０６でユーザ１０４が「トップス(上衣)」というキーワードを入力し、検索結果が３５件ヒット(該当)し、図８に示すように、１ページには１０件分の商品情報を表示できるとする。このとき、１ページ内の商品はマウス等の入力部４０５を用いて商品リストをスクロールするなどして閲覧が可能である。
【００４９】
図８に示す商品リストのうち、項目「画像」に相当するデータは素材情報テーブル３３１に保持されたデータであり、項目「商品名」、「特徴」、「価格」、「詳細(情報)」に相当するデータは商品情報テーブル３２１に保持されたデータである。
【００５０】
図８に示す画面９３の商品リストにおいて、ユーザ１０４はチェックボックス４４にチェックを入れて商品を選択する（ステップ６０９）。ユーザ１０４は商品リストに示された情報を参照して、購入したい商品を選択する。図９は、チェックボックスにチェックマークが入れられた画面９５を示す。ユーザ１０４が、例えば、チェックボックス４４−１、４４−２をマウス等でクリックすると、チェックボックス４４−１、４４−２にはチェックマーク５５−１、５５−２が入り、選択表示がなされる。
【００５１】
端末装置１０３の制御部４０１は、選択されたチェックボックス４４の情報を送信する（ステップ６１０）。サーバ１０１の制御部２０１は、選択されたチェックボックス４４の商品の商品ＩＤをセッション変数３０２として保持する（ステップ６１１）。
【００５２】
図１０はセッション保持手段１１４に保持されるセッション変数３０２を示す図である。図９に示す商品リストにおいて、チェックマーク５５−１、５５−２が付けられた商品の商品ＩＤ「１００００２１」、「１００００２２」がセッション変数としてセッション保持手段１１４に保持される。図９に示す商品リストには商品ＩＤは表示されないが、商品情報データベース３０１から商品情報を取得しているため、商品ＩＤの情報を裏で有している。チェックボックスにはその商品ＩＤがひも付けられていて、チェックされたチェックボックスにひも付けられた商品ＩＤがセッション変数として代入される。即ち、セッション変数３０２は商品ＩＤなどの商品固有のデータであり、その商品が選択されたということを示す選択情報である。
【００５３】
１ページ分の商品リストの閲覧、選択作業が終わると、ユーザ１０４は必要であれば、図９に示す「次ページ」メニューボタン４７をマウス等でクリックし、次のページの商品リストを表示させ、商品の閲覧、選択作業を継続する（ステップ６１２）。
【００５４】
次ページボタン４７をクリックすると、図１１に示す次ページの商品リストの画面９７が端末装置１０３に示される。その画面９７において、ステップ６０９からステップ６１２までの動作が繰り返し行われる。
また、図１１に示す画面９７において、ユーザ１０４が「前ページ」メニューボタン４９をマウス等でクリックすると、端末装置１０３には図９に示す画面９５が表示され、チェックボックス４４−１、４４−２には依然チェックマーク５５−１、５５−２が入ったままの状態であることが確認できる。即ち、改ページ後も選択表示は保持される。
【００５５】
再度、ユーザ１０４は図９に示す「次ページ」メニューボタン４７をマウス等でクリックし、図１１に示す商品リストを閲覧し、その中の商品を選択したとする。図１２はチェックボックスにチェックマークが入れられた画面９９を示す。
【００５６】
ユーザ１０４が、例えば、チェックボックス４４−１２をマウス等でクリックすると、チェックボックス４４−１２にはチェックマーク５５−１２が入る。端末装置１０３の制御部４０１は、選択されたチェックボックス４４−１２の情報を送信し（ステップ６１０）、サーバ１０１の制御部２０１は、選択されたチェックボックス４４−１２の商品の商品ＩＤをセッション変数３０２として保持する（ステップ６１１）。
【００５７】
図１３は、ステップ６１１の時点で、セッション保持手段１１４に保持されるセッション変数３０２を示す図である。図９に示す商品リストにおいて、チェックマーク５５−１、５５−２が付けられた商品の商品ＩＤ「１００００２１」、「１００００２２」に加えて、図１２に示す商品リストにおいて選択され、チェックマーク５５−１２が入れられた商品に対応する商品ＩＤ「１００００３２」がセッション変数としてセッション保持手段１１４に追加され、保持される。
【００５８】
例えば、この時点で、ユーザ１０４が「前ページ」メニューボタン４９をマウス等でクリックすると、端末装置１０３には図９に示す画面９５が表示され、チェックボックス４４−１、４４−２には依然チェックマーク５５−１、５５−２が入ったままの状態であることが確認できる。
更に、必要であれば、ユーザ１０４は、図１２に示す「次ページ」メニューボタン４７をマウス等でクリックし、次のページの商品の閲覧、選択作業を継続することができる。
【００５９】
ユーザ１０４が商品の閲覧、選択を終えたら（ステップ６１２）、端末装置１０３の制御部４０１は、選択作業の終了をサーバ１０１に対して送信する（ステップ６１３）。サーバ１０１の制御部２０１は、保持したセッション変数３０２から選択された商品リストを作り、端末装置１０３に送信する（ステップ６１４）。
【００６０】
端末装置１０３の制御部４０１は、送られた商品リストを表示し、ユーザ１０４はその内容を確認した後、購入処理等を行い、制御部４０１はそれをサーバ１０１に対して送信する（ステップ６１５）。サーバ１０１の制御部２０１は、送られた購入処理を受け付ける（ステップ６１６）。この時点で、セッション変数保持手段１１４に保持されたセッション変数３０２は破棄され、初期化される。
【００６１】
尚、セッション変数３０２の保持と破棄は、ユーザ１０４の商品閲覧、検索処理の間に随時行うことも可能である。例えば、ユーザ１０４が、選択した商品を「買い物かご（バスケット）」に入れるように操作すれば、セッション変数保持手段１１４に保持されたセッション変数３０２はその都度破棄され、初期化される。
また、セッション変数３０２は、商品ＩＤ４１を用いたが、この限りではなく、商品固有のデータを用いることができる。
また、セッション変数３０２は、記憶装置２０２に記憶するとしたが、制御部２０１のＲＡＭ等に記憶させてもよい。
【００６２】
このように、本実施の形態の通信システム１００を用いれば、セッション内で選択された商品情報は、その選択動作が終了しない限り、セッション変数３０２という選択情報として保持され、閲覧ページを移動した後でも、一度選択された商品は「選択済み」であることを示す選択表示が保持されるため、ユーザ１０４にとってわかりやすい。従って、ユーザ１０４は、商品情報を示すページが複数ページにわたる場合でも、一連の流れで商品を選択することが可能であり、選んだ商品の確認も容易となり、効率的に作業が行われる。
【００６３】
尚、本実施の形態では、データベースとして商品情報、素材情報等を蓄積する情報データベース３０１を用いたが、商品情報、素材情報等に限るものではない。
また、購入処理を例にとって説明したが、これに限るものではなく、Ｗｅｂ上で複数ページにわたって提供される表示情報の中から情報を選択する通信動作全般に適用可能である。
【００６４】
尚、図６、図７等に示す処理を行うプログラムはＣＤ−ＲＯＭ等の記録媒体に保持させて流通させてもよいし、このプログラムを通信回線を介して送受することもできる。
【００６５】
以上、添付図面を参照しながら、本発明に係る通信システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００６６】
【図１】本実施の形態に係る通信システム１００の概略構成を示す図
【図２】サーバ１０１のハードウェア構成図
【図３】記憶装置２０２に記憶されるファイルを示す図
【図４】商品情報データベース３０１のデータ構造を示す図
【図５】端末装置１０３のハードウェア構成図
【図６】通信システム１００の選択保持処理を示すフローチャート
【図７】通信システム１００の選択保持処理を示すフローチャート
【図８】画面９３を示す図
【図９】チェックマークが施された画面９５を示す図
【図１０】セッション変数３０２を示す図
【図１１】画面９７を示す図
【図１２】チェックマークが施された画面９９を示す図
【図１３】セッション変数３０２を示す図
【符号の説明】
【００６７】
１００………通信システム
１０１………サーバ
１０３………端末装置
１０４………ユーザ
１０９………ネットワーク
１１０………ＷＷＷサーバ
１１１………データベース操作手段
１１２………データベース管理手段
１１３………データベースサーバ管理手段
１１４………セッション変数保持手段
１２０………ＷＷＷブラウザ
２０１、４０１………制御部
２０２、４０２………記憶装置
３０１………情報データベース
３０２………セッション変数
４４………チェックボックス
５５………チェックマーク
【図１】
2006244341.tif 000003
【図２】
2006244341.tif 000004
【図３】
2006244341.tif 000005
【図４】
2006244341.tif 000006
【図５】
2006244341.tif 000007
【図６】
2006244341.tif 000008
【図７】
2006244341.tif 000009
【図８】
2006244341.tif 000010
【図９】
2006244341.tif 000011
【図１０】
2006244341.tif 000012
【図１１】
2006244341.tif 000013
【図１２】
2006244341.tif 000014
【図１３】
2006244341.tif 000015